(57)【特許請求の範囲】
【請求項１】
高温領域とこの領域よりも温度が低い領域とを有する空間を冷却するために使用されるファン装置であって、内部にファンモータが配置され、このファンモータによって誘起される空気流を吸気口から排気口へと案内する円筒状空気流路を形成する中空状円筒部と、前記中空状円筒部の外側に設けられ周方向適所に複数の取付部が配置されたフランジ部とを有するハウジングを備え、
前記円筒状空気流路内を流動する空気流のうち、所定の方向から前記吸気口内に流入した空気流の流動速度がそれ以外の方向から流入した空気流の流動速度よりも速くなるように制御する空気流制御手段を有し、
当該ファン装置が前記吸気口を前記空間に面して配置され、前記空気流制御手段は、前記吸気口における前記高温領域がある側の前記ハウジングにおける隣り合う二つの前記フランジ部の取付部間に対応する位置に、前記一方の取付部の外縁と前記他方の取付部の外縁とを結ぶ直線よりも前記ファンモータの回転軸心に対して半径方向外方に延設して、前記吸気口の開口面積が部分的に拡大する拡張部によって規定され、前記拡張部は、前記中空状円筒部の内部から前記吸気口へ向かってテーパ状に形成されることを特徴とするファン装置。
【請求項２】
高温領域とこの領域よりも温度が低い領域とを有する空間を冷却するために使用されるファン装置であって、内部にファンモータが配置され、このファンモータによって誘起される空気流を吸気口から排気口へと案内する円筒状空気流路を形成する中空状円筒部と、前記中空状円筒部の外側に設けられ周方向適所に複数の取付部が配置されたフランジ部とを有するハウジングを備え、
前記円筒状空気流路内を流動する空気流のうち、所定の方向から前記吸気口内に流入した空気流の流動速度がそれ以外の方向から流入した空気流の流動速度よりも速くなるように制御する空気流制御手段を有し、
当該ファン装置が前記吸気口を前記空間に面して配置され、前記空気流制御手段は、前記排気口における前記高温領域がある側の前記ハウジングにおける隣り合う二つの前記フランジ部の取付部間に対応する位置に、前記一方の取付部の外縁と前記他方の取付部の外縁とを結ぶ直線よりも前記ファンモータの回転軸心に対して半径方向外方に延設して、前記排気口の開口面積が部分的に拡大する拡張部によって規定され、前記拡張部は、前記中空状円筒部の内部から前記排気口へ向かってテーパ状に形成されることを特徴とするファン装置。
【請求項３】
前記フランジ部は、前記中空状円筒部の吸気口及び排気口に前記取付部が四箇所設けられることによって、前記ファンモータの回転軸心に対して半径方向外方に延設された四角形状をなして設けられることを特徴とする請求項１又は２に記載のファン装置。
【請求項４】
前記吸気口の端部は、前記円筒状空気流路の直径が拡大するようテーパ状に形成されており、前記拡張部は、前記テーパ状の部分の一部が延長されることによって形成されることを特徴とする請求項１又は３の何れかに記載のファン装置。
【請求項５】
前記排気口の端部は、前記円筒状空気流路の直径が拡大するようテーパ状に形成されており、前記拡張部は、前記テーパ状の部分の一部が延長されることによって形成されることを特徴とする請求項２又は３の何れかに記載のファン装置。
【請求項６】
開口を有する筐体と、この筐体内に配設される、電子回路が構成された回路基板と、前記筐体の開口を通じて筐体内部の空気を外部へ排出するためのファン装置と、その他電気部品とを備え、前記電子回路および／又は電気部品の一部または全部からの発熱によって、前記筐体内に部分的に高温となる高温領域が発生する電気機器であって、
前記ファン装置は、内部にファンモータが配置され、このファンモータによって誘起される空気流を吸気口から排気口へと案内する円筒状空気流路を形成する中空状円筒部と、前記中空状円筒部の外側に設けられ周方向適所に複数の取付部が配置されたフランジ部とを有するハウジングを備え、
前記ファンモータによって前記筐体内部から外部へ排出される空気流のうち、所定の方向から前記吸気口内に流入した空気流の流動速度が他の方向から流入した空気流の流動速度よりも速くなる、空気流制御手段とを有し、
当該ファン装置が前記吸気口を前記筐体内に面して前記開口に配置され、前記空気流制御手段は、前記吸気口における前記高温領域がある側の前記ハウジングにおける隣り合う二つの前記フランジ部の取付部間に対応する位置に、前記一方の取付部の外縁と前記他方の取付部の外縁とを結ぶ直線よりも前記ファンモータの回転軸心に対して半径方向外方に延設して、前記吸気口の開口面積が部分的に拡大する拡張部によって規定され、前記拡張部は、前記中空状円筒部の内部から前記吸気口へ向かってテーパ状に形成されることを特徴とする電気機器。
【請求項７】
前記フランジ部は、前記中空状円筒部の吸気口又は排気口に前記取付部が四箇所設けられることによって、前記ファンモータの回転軸心に対して半径方向外方に延設された四角形状をなして設けられることを特徴とする請求項６に記載の電気機器。
【発明の詳細な説明】
【０００１】
【発明の属する技術分野】
本発明は、ファンモータを備え且つこのファンモータの誘起する空気流の方向性を制御することができるファン装置並びにファン装置を備え、このファン装置の誘起する空気流の方向性を制御することができる電気機器に関する。
【０００２】
【従来の技術】
パーソナルコンピュータやゲーム機器などの電気機器では、機器の内部に配置される中央演算処理装置（ＣＰＵ）や回路基板、その他電気部品を冷却するために、装置内外の空気を交換するファン装置が用いられている。図１及び図２において、従来のファン装置の一例を示す。このファン装置１は、ハウジング５と、ファンモータ４とから構成されている。
【０００３】
ファンモータ４はハウジング５から延設される複数の支持アーム（図示せず）に支持され、回転軸心（図示せず）と一体に回転するインペラ３を有している。ハウジング５は、円筒部５ｈと、この円筒部５ｈの内周壁によって規定され、内部に支持アームによって支持されたファンモータ４が配置される空気流路５ａと、円筒部の両端に夫々設けられた平面形状が四角形状の第１フランジ部５ｇ１及び第２フランジ部５ｇ２とを有している。また、空気流路５ａのフランジ部５ｇ１側の開口部には吸気口５ｂが、フランジ部５ｇ２側の開口部には排気口（図示せず）が規定され、ファンモータ４のインペラ３が回転することによって誘起される空気流が、吸気口５ｂから空気流路５ａを介して排気口へと案内される。円筒部５ｈの内周壁は、インペラ４の回転によって誘起される空気流が空気流路５ａ内に円滑に流動するよう、吸気口５ｂ側の開口部にテーパ部５ｄが設けられている。第１フランジ部５ｇ１及び第２フランジ部５ｇ２の各角部には、ファン装置１をパーソナルコンピュータなどの電気機器の筐体に取付けるためのネジが挿通される孔５ｃが形成される。
【０００４】
ファン装置１は、ＣＰＵなどの電気部品の発熱によって高温となった電気機器内部の空気を外部に排出するために、吸気口５ｂが機器内に面し、排気口が機器の外部に開口部している。ファン装置１によって、電気機器内の高温の空気が外部に排出されることで、電気機器の内部に配置された電気部品が冷却される。
【０００５】
【発明が解決しようとする課題】
しかしながら、パーソナルコンピュータなどの電気機器はますます小型化並びに低消費電力化される傾向にある。一方、これら電気機器に使用されるＣＰＵなどの電気部品は性能が向上し、それにともない発熱量も増大している。また、電気機器の小型化により、内部に配置される電気部品は、各部品間の間隙も小さくなり、高密度且つ複雑な配置がとられるようになってきている。そのため電気機器内部の空気流動が阻害され、十分に冷却することができず、電気部品の発熱による演算速度などの性能の劣化や故障が発生する原因となる。
【０００６】
これを解決するには、ファン装置１を大型化したりあるいはファンモータ４の回転速度を上げてインペラ３の誘起する空気流の風量を増加する必要があるが、上述の電気機器の小型化並びに低消費電力化にともない、これを実現するのは困難である。
【０００７】
本発明の目的は、ファンモータの回転によって誘起される空気流の方向性が制御されることで、ファン装置を大型化したりファンモータの回転速度を上げることなく、十分な冷却性能が確保されるファン装置を提供することである。
【０００８】
また、本発明の別の目的は、ファン装置によって誘起される空気流の方向性が制御されることで、筐体内部の特定部位を特に効率良く冷却することができる電気機器を提供することである。
【０００９】
【課題を解決するための手段】
本発明は、高温領域とこの領域よりも温度が低い領域とを有する空間を冷却するために使用されるファン装置であって、内部にファンモータが配置され、このファンモータによって誘起される空気流を吸気口から排気口へと案内する円筒状空気流路を形成する中空状円筒部と、前記中空状円筒部の外側に設けられ周方向適所に複数の取付部が配置されたフランジ部とを有するハウジングを備え、前記円筒状空気流路内を流動する空気流のうち、所定の方向から前記吸気口内に流入した空気流の流動速度がそれ以外の方向から流入した空気流の流動速度よりも速くなるように制御する空気流制御手段を有し、当該ファン装置が前記吸気口を前記空間に面して配置され、前記空気流制御手段は、前記吸気口における前記高温領域がある側の前記ハウジングにおける隣り合う二つの前記フランジ部の取付部間に対応する位置に、前記一方の取付部の外縁と前記他方の取付部の外縁とを結ぶ直線よりも前記ファンモータの回転軸心に対して半径方向外方に延設して、前記吸気口の開口面積が部分的に拡大する拡張部によって規定され、前記拡張部は、前記中空状円筒部の内部から前記吸気口へ向かってテーパ状に形成されることを特徴とする。（請求項１）
【００１０】
本発明のファン装置は、空気流制御手段によって、所定の方向から流入した空気流の流動速度が他の方向から流入した空気流の流動速度よりも速くなるよう制御することで、所定の方向からファン装置の吸気口へと向かう空気流の流動速度が速くなり、より多くの空気が容易に空気流路内に取り込まれ、効率良く排気されることとなる。
【００１１】
例えば、ファンモータが吸気口側から見て時計回りに回転する場合、このファンモータによって誘起された空気流は、時計回りの渦状に空気流路内に流入する。空気流路内に流入した空気流は、ほぼ直線的に空気流路内を通過し、排気口を経て排気される。その際、空気流路内に流入した空気流は、空気流路内において互いに混ざり合うことなくそれぞれ直線的に流動して、排気口へと向かう。従って、空気流制御手段が設けられた側から空気流路に流入した空気流は他の方向から流入した空気流に干渉されることなく、吸気口内への流入量及び流動速度を維持したまま排気口を経て電気機器の外部へ排気される。
【００１２】
この空気流制御手段を、ファン装置が使用される機器のうち、最も発熱量の大きな部品等が配置される側（高温領域側）に設けることで、装置内の熱量の最も大きい部分が特に冷却されるようになり、ファン装置を大型化したりファンモータの回転速度を上げることなく、装置内部全体の冷却効率を向上することができる。
【００１３】
空気制御手段は、前記吸気口における前記高温領域がある側の前記ハウジングにおける隣り合う二つの前記フランジ部の取付部間に対応する位置に、前記一方の取付部の外縁と前記他方の取付部の外縁とを結ぶ直線よりも前記ファンモータの回転軸心に対して半径方向外方に延設して、前記吸気口の開口面積が部分的に拡大する拡張部によって規定され、前記拡張部は、前記中空状円筒部の内部から前記吸気口へ向かってテーパ状に形成されることで、開口部の面積の拡大する部分は、他の部分に比べて空気流路内への流入抵抗が小さくなり、流入速度が速くなることから、より多くの空気流が取り込まれることとなる。このため、拡大部が設けられた側からの空気流の流量が増加し、この拡大部が設けられた側を特に効率良く冷却することが可能となる。
【００１４】
このフランジ部には、ファン装置を使用される機器に取付けるための貫通孔や雌ねじ孔（取付部に相当）が形成されるが、空気流制御手段を、隣り合うフランジ部の一方の取付部の外縁と他方の取付部の外縁を結ぶ直線を越えて設けることで、空気流路の開口部において、面積が拡大する部分を十分に大きくすることができ、より空気流を取り込み易くなる。
【００１５】
拡張部をテーパ状とすることで、このテーパ状の拡張部を通じて空気流路内に流入する空気流の流入抵抗が更に小さくすることができる。
【００１６】
前記フランジ部は、前記中空状円筒部の吸気口又は排気口に前記取付部が四箇所設けられることによって、前記ファンモータの回転軸心に対して半径方向外方に延設された四角形状をなして設けられることを特徴とする。（請求項４）
【００１７】
前記吸気口の端部は、前記円筒状空気流路の直径が拡大するようテーパ状に形成されており、前記拡張部は、前記テーパ状の部分の一部が延長されることによって形成されることを特徴とする。
【００１８】
このように吸気口の端部全体にテーパ状部が形成されることで、吸気口の開口面積が増大し、ファン装置全体としての空気の流速を速くし流入量を増加することができる。
【００１９】
本発明は、高温領域とこの領域よりも温度が低い領域とを有する空間を冷却するために使用されるファン装置であって、内部にファンモータが配置され、このファンモータによって誘起される空気流を吸気口から排気口へと案内する円筒状空気流路を形成する中空状円筒部と、前記中空状円筒部の外側に設けられ周方向適所に複数の取付部が配置されたフランジ部とを有するハウジングを備え、前記円筒状空気流路内を流動する空気流のうち、所定の方向から前記吸気口内に流入した空気流の流動速度がそれ以外の方向から流入した空気流の流動速度よりも速くなるように制御する空気流制御手段を有し、当該ファン装置が前記吸気口を前記空間に面して配置され、前記空気流制御手段は、前記排気口における前記高温領域がある側の前記ハウジングにおける隣り合う二つの前記フランジ部の取付部間に対応する位置に、前記一方の取付部の外縁と前記他方の取付部の外縁とを結ぶ直線よりも前記ファンモータの回転軸心に対して半径方向外方に延設して、前記排気口の開口面積が部分的に拡大する拡張部によって規定され、前記拡張部は、前記中空状円筒部の内部から前記排気口へ向かってテーパ状に形成されることを特徴とする。（請求項２）
【００２０】
本発明のファン装置は、拡張部を中空状円筒部の排気口側端部に設けることで、拡張部を設けた部分の空気の排気抵抗が他の部分よりも小さくなり、部分的に空気の排出速度が速くなる。排気口部分で空気の排出速度が速くなることで、吸気口内に流入した空気流は、必然的に円筒状空気流路内の流動速度が速くなるとともに空気流量が多くなるため、拡大部を内周壁の吸気口側端部に設けた場合と同様に、特定方向からの空気の流入速度を速くし流入量を増加することができる。
【００２１】
この空気流制御手段を、ファン装置が使用される機器のうち、最も発熱量の大きな部品等が配置される側（高温領域側）に設けることで、装置内の熱量の最も大きい部分が特に冷却されるようになり、ファン装置を大型化したりファンモータの回転速度を上げることなく、装置内部全体の冷却効率を向上することができる。
【００２２】
空気制御手段は、前記排気口における前記高温領域がある側の前記ハウジングにおける隣り合う二つの前記フランジ部の取付部間に対応する位置に、前記一方の取付部の外縁と前記他方の取付部の外縁とを結ぶ直線よりも前記ファンモータの回転軸心に対して半径方向外方に延設して、前記排気口の開口面積が部分的に拡大する拡張部によって規定され、前記拡張部は、前記中空状円筒部の内部から前記排気口へ向かってテーパ状に形成されることで、開口部の面積の拡大する部分は、他の部分に比べて空気流路内への流入抵抗が小さくなり、流入速度が速くなることから、より多くの空気流が取り込まれることとなる。このため、拡大部が設けられた側からの空気流の流量が増加し、この拡大部が設けられた側を特に効率良く冷却することが可能となる。
【００２３】
このフランジ部には、ファン装置を使用される機器に取付けるための貫通孔や雌ねじ孔（取付部に相当）が形成されるが、空気流制御手段を、隣り合うフランジ部の一方の取付部の外縁と他方の取付部の外縁を結ぶ直線を越えて設けることで、空気流路の開口部において、面積が拡大する部分を十分に大きくすることができ、より空気流を取り込み易くなる。
【００２４】
拡張部をテーパ状とすることで、このテーパ状の拡張部を通じて空気流路内に流入する空気流の流入抵抗が更に小さくすることができる。
【００２５】
前記フランジ部は、前記中空状円筒部の吸気口又は排気口に前記取付部が四箇所設けられることによって、前記ファンモータの回転軸心に対して半径方向外方に延設された四角形状をなして設けられることを特徴とする。（請求項３）
【００２６】
前記排気口の端部は、前記円筒状空気流路の直径が拡大するようテーパ状に形成されており、前記拡張部は、前記テーパ状の部分の一部が延長されることによって形成されることを特徴とする。（請求項５）
【００２７】
このように排気口の端部全体にテーパ状部が形成されることで、排気口の開口面積が増大し、ファン装置全体としての空気の流速を速くし排気量を増加することができる。
【００２８】
また、本発明は、開口を有する筐体と、この筐体内に配設される、電子回路が構成された回路基板と、前記筐体の開口を通じて筐体内部の空気を外部へ排出するためのファン装置と、その他電気部品とを備え、前記電子回路および／又は電気部品の一部または全部からの発熱によって、前記筐体内に部分的に高温となる高温領域が発生する電気機器であって、前記ファン装置は、内部にファンモータが配置され、このファンモータによって誘起される空気流を吸気口から排気口へと案内する円筒状空気流路を形成する中空状円筒部と、前記中空状円筒部の外側に設けられ周方向適所に複数の取付部が配置されたフランジ部とを有するハウジングを備え、前記ファンモータによって前記筐体内部から外部へ排出される空気流のうち、所定の方向から前記吸気口内に流入した空気流の流動速度が他の方向から流入した空気流の流動速度よりも速くなる、空気流制御手段とを有し、当該ファン装置が前記吸気口を前記筐体内に面して前記開口に配置され、前記空気流制御手段は、前記吸気口における前記高温領域がある側の前記ハウジングにおける隣り合う二つの前記フランジ部の取付部間に対応する位置に、前記一方の取付部の外縁と前記他方の取付部の外縁とを結ぶ直線よりも前記ファンモータの回転軸心に対して半径方向外方に延設して、前記吸気口の開口面積が部分的に拡大する拡張部によって規定され、前記拡張部は、前記中空状円筒部の内部から前記吸気口へ向かってテーパ状に形成されることを特徴とする。（請求項６）
【００２９】
本発明の電気機器では、空気流制御手段によって、ファン装置によって筐体外部へ排出される空気流のうち、筐体内部の高温領域の方向からファン装置の吸気口を流れ、中空状円筒部を介して排気口から排出される空気流の流動速度が他の方向から排出される空気流の流動速度よりも速くなるよう制御することで、高温領域の方向から筐体の開口へと向かう空気流の流動速度が速くなり、より多くの空気が効率良く排気されることとなる。
【００３０】
空気流制御手段を、発熱量が大きな例えばＣＰＵなどの電気部品が配置される方向に設けることで、発熱量が大きな電気部品が配置される側の空間からより多くの空気が空気流路内に取り込まれ、電気機器の外部に排出されることとなることから、ファン装置を大型化したりファンモータの回転速度を上げることなく、電気機器の内部が効率的に冷却される。
【００３１】
前記空気流制御手段は、前記吸気口における前記高温領域がある側の前記ハウジングにおける隣り合う二つの前記フランジ部の取付部間に対応する位置に、前記一方の取付部の外縁と前記他方の取付部の外縁とを結ぶ直線よりも前記ファンモータの回転軸心に対して半径方向外方に延設して、前記吸気口の開口面積が部分的に拡大する拡張部によって規定され、前記拡張部は、前記中空状円筒部の内部から前記吸気口へ向かってテーパ状に形成されることで、開口部の面積の拡大する部分は、他の部分に比べて空気流路内への流入抵抗が小さくなり、流入速度が速くなることから、より多くの空気流が取り込まれることとなる。このため、拡大部が設けられた側からの空気流の流量が増加し、この拡大部が設けられた側を特に効率良く冷却することが可能となる。
【００３２】
前記フランジ部は、前記中空状円筒部の吸気口又は排気口に前記取付部が四箇所設けられることによって、前記ファンモータの回転軸心に対して半径方向外方に延設された四角形状をなして設けられることを特徴とする。（請求項７）
【００３３】
【発明の実施の形態】
以下に本発明の各実施形態について図面を参照して説明する。
【００３４】
図３乃至図６に本発明の第１の実施形態のファン装置用ハウジング及びこのハウジングを使用するファン装置を図示する。
【００３５】
図３乃至図６に示すファン装置用ハウジング及びこのハウジングを使用するファン装置１０は、平面形状が四角形状のハウジング１５と、このハウジング１５に支持されるファンモータ１４とから構成される。ハウジング１５は樹脂により一体成形され、円筒部１５ｈと、この円筒部１５ｈの内周壁よって規定される空気流路１５ａと、円筒部１５ｈの両端に夫々設けられた四角形状の第１フランジ１５ｇ１及び第２フランジ部１５ｇ２とを有している。空気流路１５ａは、第１フランジ部１５ｇ１側の開口部が吸気口１５ｂとして機能し、第２フランジ部１５ｇ２側の開口部が排気口１５ｆとして機能する。ファンモータ１４は、複数の支持アーム１５ｉ（図８参照）によって空気流路１５ａ内に配置され、回転軸心と一体に回転するインペラ１３を有している。
【００３６】
第１フランジ部１５ｇ１及び第２フランジ部１５ｇ２の各角部には、ファン装置１０をパーソナルコンピュータなどの電気機器の筐体に取付けるためのネジが挿通される孔１５ｃが形成されている。ファンモータ１４のインペラ１３が回転すると、ファン装置１０が取付けられた電気機器内に吸気口１５ｂへと向かう空気流が誘起され、空気流路１５ａを介して排気口１５ｆから電気機器の外部へと排出される。
【００３７】
第１フランジ部１５ｇ１側の吸気口１５ｂの開口部は、空気流路１５ａの直径が吸気口１５ｂ側端部に向かうにつれて拡大するようテーパ状部１５ｄが設けられており、空気流路１５ａの吸気口１５ｂの面積が拡大している。このテーパ状部１５ｄによって、電気機器内から吸気口１５ｂへと流れる空気流が円滑に空気流路１５ａ内に吸入され、ファン装置１０の排気効率が向上する。
【００３８】
吸気口１５ｂの開口部に設けられたテーパ状部１５ｄの一部は、ファンモータ１４の回転軸心に対して半径方向外方に更に延設され、第１フランジ部１５ｇ１の外縁を越えて突出する拡張部１５ｅが形成される。この拡張部１５ｅは、図３においては、回転軸心を中心として中心角Ｗが約６０゜の略円弧状になるよう設けられており、その外周部が第１フランジ部１５ｇ１から突出している。
【００３９】
ファンモータ１４の回転軸心を通る直線Ｌを境に、吸気口１５ｂを上側領域と下側領域とに分けた場合、吸気口１５ｂの開口部の面積は、上側領域よりも下側領域の方が拡張部１５ｅの分大きくなっている。このため、吸気口１５ｂを通じて空気流路１５ａ内に流入する空気の量も下側領域の方が上側領域よりも多くなる。
【００４０】
ファンモータ１４のインペラ１３は吸気口１５ｂ側から見て時計回りに回転し、電気機器内の空気は、時計回りの渦状に空気流路１５ａ内に流入する。空気流路１５ａ内に流入した空気流は、ほぼ直線的に空気流路１５ａ内を通過し、排気口１５ｆを経て電気機器の外部へ排気される。その際、第１フランジ部１５ｇ１側の各方向から吸気口１５ｂ内に流入した空気流は、空気流路１５ａ内において互いに混ざり合うことなくそれぞれ直線的に流動して、排気口１５ｆへと向かう。従って、拡張部１５ｅ側から空気流路１５ａ内に流入した空気流は他の方向から流入した空気流に干渉されることなく、吸気口１５ｂ内への流入量及び流動速度を維持したまま排気口１５ｆを経て電気機器の外部へ排気される。
【００４１】
上述の電気機器内での空気流動について、図７を参照して説明する。図７の電気機器１００は、ファン装置１０が取付けられる筐体１０２内に、図２において破線で示すＣＰＵその他の電気部品が実装され、２つの放熱フィン１０５及び１０６によって３つの領域ａ、ｂ及びｃに区分された回路基板１０４を備えてなる。領域ａにはＣＰＵその他発熱量が比較的大きい電気部品が集中的に配置されており、各領域ａ、ｂ及びｃのうちで最も高温となる領域である（すなわち、領域ａが高温領域）。この電気機器１００において、ファン装置１０のインペラ１３が回転を開始すると、各領域ａ、ｂ及びｃからそれぞれファン装置１０の吸気口１５ｂへと向かう空気流が生じる。その際、回路基板１０４上の空間は放熱フィン１０５及び１０６によって区分されているため、各領域ａ、ｂ及びｃに位置する空気が相互に流通することはない。
【００４２】
ファン装置１０の吸気口１５ｂに設けられた拡張部１５ｅは、回路基板１０４の領域ａ側（図７において左側）に設けられている。従って、電気機器１００内では、領域ａからファン装置１０の吸気口１５ｂへと流れる空気流の方が、領域ｂあるいはｃから吸気口１５ｂへと流れる空気流よりも、流動抵抗が少なく、スムーズに流れることとなることから、領域ａ側から、領域ｂ及びｃよりも多量の空気が、より速い流動速度で吸気口１５ｂから空気流路１５ａ内に流入し、流入時の流動速度及び流入量を維持したまま、排気口１５ｆを経て電気機器１００の筐体１０２の外部へと排出される。その結果、領域ａに配置されたＣＰＵなどの電気部品が集中的に冷却される。このように最も発熱量の大きな電気部品が集中して配置されている領域ａを集中的に冷却することで、電気機器１００の筐体１０２内が効率的に冷却され、筐体１０２内が異常に温度上昇することによる、電気部品の性能の劣化及び故障が防止される。
【００４３】
図３に示すファン装置１０のハウジング１５に変えて、図８に示すように拡張部１５ｅを、図３と同様の構成で排気口１５ｆ側に設けた場合、この拡張部１５ｅが設けられた方向への排出抵抗が小さくなることから、排気効率が向上する。従って、吸気口１５ｂ内に流入した空気流は、必然的に空気流路１５ａ内の流動速度が速くなるとともに空気流量が多くなるため、図３に示すファン装置１０と同様の効果を得ることができる。
【００４４】
尚、本発明のファン装置用ハウジングを小型のファン装置に適用する場合、例えば図９に示すように、空気流路１５ａの開口部に全周にわたって設けられていたテーパ状部１５ｄを拡張部１５ｅが形成される部分にのみ設ける構成とすることで、空気流路１５ａの開口部の直径を比較的に大とすることができ、必要な空気流量を維持しながら、所定方向からの空気の流量を制御することができる。
【００４５】
次に図１０及び図１１を参照し、本発明のファン装置用ハウジングの別の実施形態について説明する。
【００４６】
このファン装置２０は、空気流路２５ａの外周壁を形成する円筒部２５ｈと、この円筒部２５ｈからファンモータ２４の回転軸心に対して放射状に突出する複数の取付突出部２５ｊを備えるハウジング２５を有する。各取付突出部２５ｊには、ファン装置２０をパーソナルコンピュータなどの電気機器の筐体に取付けるためのネジが挿通される孔２５ｃが形成されている。
【００４７】
空気流路２５ａの吸気孔２５ｂ側開口部を規定する円筒部２５ｈの端部には、吸気孔２５ｂが、ファンモータ２４の回転軸心に対して半径方向外方に拡大するよう拡張部２５ｅが形成されている。この拡張部２５ｅは、吸気口２５ｂの開口周縁部の一部にテーパ状部２５ｄを設けることで形成される。
【００４８】
この拡張部２５ｅは、図１０においては、回転軸心を中心として中心角Ｗ′が約８０゜の略円弧状になるよう設けられており、その外周部が円筒部２５ｈから突出している。
【００４９】
図１０及び図１１に図示する実施形態においては、図３乃至図９に図示する本発明の第１の実施形態にかかるファン装置用ハウジングと同様の効果が得られるとともに、空気流路２５ａの開口部の周囲に、本発明の第１の実施形態にある第１及び第２のフランジ部を設けていないことから、拡張部２５ｅをハウジング２５の形状又は構成に影響されることなく、この拡張部２５ｅを必要な大きさとすることができ効率的に電気機器内を冷却するとことが可能である。
【００５０】
【発明の効果】
本発明の請求項１又は２のファン装置によれば、高温領域の方向からファン装置の吸気口へと向かう空気流の流動速度が速くなり、この高温領域からより多くの空気が容易に空気流路内に取り込まれ、効率良く排気することが可能となる。
【００５１】
本発明の請求項３のファン装置によれば、フランジ部が、中空状円筒部の吸気口又は排気口にその取付部が四箇所設けられることによって、ファンモータの回転軸心に対して半径方向外方に延設された四角形状をなして設けられたファン装置に適用できる。
【００５２】
本発明の請求項４又は５のファン装置によれば、吸気口又は排気口の端部がテーパ状に形成されることにより、ファン装置全体としての空気の流速を速くし流入量を増加することができる。
【００５３】
本発明の請求項６の電気機器によれば、ファン装置によって筐体外部へ排出される空気流のうち、筐体内部の高温領域の方向からファン装置の吸気口に流れ、中空状円筒部を介して排気口から排出される空気流の流動速度が他の方向から排出される空気流の流動速度よりも速くなるよう制御することで、筐体内部の高温領域の方向から筐体の開口へと向かう空気流の流動速度が速くなり、より多くの空気が効率良く排気することが可能となる。これにより、ファン装置を大型化したりファンモータの回転速度を上げることなく、電気機器の内部が効率的に冷却することができる。
【００５４】
本発明の請求項７の電気機器によれば、フランジ部が、中空状円筒部の吸気口又は排気口にその取付部が四箇所設けられることによって、ファンモータの回転軸心に対して半径方向外方に延設された四角形状をなして設けられたファン装置を適用できる。
【図面の簡単な説明】
【図１】  従来のファン装置を示す正面図である。
【図２】  図１において示す従来のファン装置に使用されるハウジングの斜視図である。
【図３】  本発明の第１の実施形態のファン装置の正面図である。
【図４】  図３において示すファン装置のハウジングのＢ−Ｂ線に沿った断面図である。
【図５】  図３において示すファン装置のハウジングのＡ−Ａ線に沿った断面図である。
【図６】  図３において示すファン装置のハウジングの斜視図である。
【図７】  電気機器の構成を模式的に示す概略図である。
【図８】  拡張部をハウジングの排気口側に設けた例を示す背面図である。
【図９】  本発明のファン装置の変形例を示す正面図である。
【図１０】  本発明の別の実施形態を示す正面図である。
【図１１】  図１０において示すファン装置のハウジングの斜視図である。
【符号の説明】
１０、２０ ファン装置
１４、２４ ファンモータ
１５ａ、２５ａ 空気流路
１５ｅ、２５ｅ 拡張部
１５ｈ、２５ｈ 円筒部
【図１】
0003984409.tif 000002
【図２】
0003984409.tif 000003
【図３】
0003984409.tif 000004
【図４】
0003984409.tif 000005
【図５】
0003984409.tif 000006
【図６】
0003984409.tif 000007
【図７】
0003984409.tif 000008
【図８】
0003984409.tif 000009
【図９】
0003984409.tif 000010
【図１０】
0003984409.tif 000011
【図１１】
0003984409.tif 000012